(57)【要約】【課題】  専用のセンサを設けることなしに、撮影者が撮影画角内の指定範囲内に入っているかどうかを確認できるようにする。【解決手段】  リモコン装置（４０）は、画角確認指示信号を本体（１０）に送信すると、一定時間後に、発光手段（４８）を発光させる。制御装置（２８）は、画角確認指示信号の受信に応じて、発光手段（４８）の発光していない第１のタイミングで撮像手段（１４）に撮像させ、発光手段（４８）の発光する第２のタイミングで撮像手段（１４）に撮像させる。判定装置（２６）は、第１のタイミングの画像信号と第２のタイミングの画像信号の輝度等を比較して、発光手段（４８）が撮影画角範囲内の指定範囲内にあるかどうかを判定する。制御装置（２８）は、発光手段（４８）が指定範囲内にない場合、ランプ（２４）を点滅させ、指定範囲内にある場合、ランプ（２４）を点灯させる。【選択図】  図１
2009044278.tif 000002
【特許請求の範囲】
【請求項１】
被写体を撮像し画像信号に変換する撮像手段と、
遠隔操作手段からの画角確認指示信号を受信する受信手段と、
前記受信手段による前記画角確認指示信号の受信に応じて、前記遠隔操作手段の発光手段の互いに異なる発光態様になる第１及び第２のタイミングで前記撮像手段に撮像させる制御手段と、
前記第１のタイミングで撮像された第１の判定用画像信号と、前記第２のタイミングで撮像された第２の判定用画像信号とを比較することにより、前記発光手段が前記撮像手段の撮影画角範囲内の指定範囲内に存在するか否かを判定する判定手段と、
前記判定手段の判定結果をユーザに通知する通知手段
とを有することを特徴とする撮像装置。
【請求項２】
前記判定手段は、前記第１及び第２の判定用画像信号の輝度、輝度分布及び色濃度分布の何れかについて比較することにより、前記発光手段が前記指定範囲に存在するか否かを判定することを特徴とする請求項１に記載の撮像装置。
【請求項３】
前記通知手段は、前記遠隔操作手段に前記判定結果を送信する手段を具備することを特徴とする請求項１又は２に記載の撮像装置。
【請求項４】
前記指定範囲が、前記撮影画角範囲に一致することを特徴とする請求項１乃至３の何れか１項に記載の撮像装置。
【請求項５】
更に、前記指定範囲を前記撮影画角範囲内で変更する手段を具備することを特徴とする請求項１乃至４の何れか１項に記載の撮像装置。
【請求項６】
前記判定手段は、前記発光手段が前記撮影画角範囲内のどの領域に存在するかを示す信号を前記遠隔操作手段に送信する手段を具備することを特徴とする請求項１に記載の撮像装置。
【請求項７】
前記画角確認指示信号が、前記第２のタイミングを指示する撮影コマンドを含み、
前記制御手段は、前記受信手段による前記画角確認指示信号の受信に応じて前記第１のタイミングで前記撮像手段に撮像させ、前記撮影コマンドに応じて、前記第２のタイミングで前記撮像手段に撮像させる
ことを特徴とする請求項１乃至６の何れか１項に記載の撮像装置。
【請求項８】
撮像装置の撮影画角範囲内の指定範囲内に、前記撮像装置を遠隔操作する遠隔操作手段の発光手段が入っているか否かを確認する方法であって、
前記遠隔操作手段からの画角確認指示信号を受信する受信ステップと、
前記画角確認指示信号の受信に応じて、前記発光手段の互いに異なる発光態様になる第１及び第２のタイミングで撮像する撮像ステップと、
前記第１のタイミングで撮像された第１の判定用画像信号と、前記第２のタイミングで撮像された第２の判定用画像信号とを比較することにより、前記発光手段が前記撮影画角範囲内の指定範囲内に存在するか否かを判定する判定ステップと、
前記判定ステップの判定結果をユーザに通知する通知ステップ
とを有することを特徴とする確認方法。
【請求項９】
前記判定ステップは、前記第１及び第２の判定用画像信号の輝度、輝度分布及び色濃度分布の何れかについて比較することにより、前記発光手段が前記指定範囲に存在するか否かを判定することを特徴とする請求項８に記載の確認方法。
【請求項１０】
前記通知ステップは、前記遠隔操作手段に前記判定結果を送信するステップを具備することを特徴とする請求項８又は９に記載の確認方法。
【請求項１１】
前記指定範囲が、前記撮影画角範囲に一致することを特徴とする請求項８乃至１０の何れか１項に記載の確認方法。
【請求項１２】
更に、前記指定範囲を前記撮影画角範囲内で変更するステップを具備することを特徴とする請求項８乃至１１の何れか１項に記載の確認方法。
【請求項１３】
前記判定ステップは、前記発光手段が前記撮影画角範囲内のどの領域に存在するかを示す信号を前記遠隔操作手段に送信するステップを具備することを特徴とする請求項８に記載の確認方法。
【請求項１４】
前記画角確認指示信号が、前記第２のタイミングを指示する撮影コマンドを含み、
前記撮像ステップは、前記画角確認指示信号の受信に応じて前記第１のタイミングで撮像するステップと、前記撮影コマンドに応じて前記第２のタイミングで撮像するステップを具備する
ことを特徴とする請求項８乃至１３の何れか１項に記載の確認方法。
【請求項１５】
撮像装置の撮影画角範囲内の指定範囲内に、前記撮像装置を遠隔操作する遠隔操作手段の発光手段が入っているか否かを確認するシステムであって、
前記遠隔操作手段は、前記撮像装置に画角確認指示信号を送信する送信手段と、前記画角確認指示信号の送信に応じて前記発光手段の発光を制御する発光制御手段とを有し、
前記撮像装置が、
被写体を撮像し画像信号に変換する撮像手段と、
前記遠隔操作手段からの画角確認指示信号を受信する受信手段と、
前記受信手段による前記画角確認指示信号の受信に応じて、前記発光手段の互いに異なる発光態様になる第１及び第２のタイミングで前記撮像手段に撮像させる制御手段と、
前記第１のタイミングで撮像された第１の判定用画像信号と、前記第２のタイミングで撮像された第２の判定用画像信号とを比較することにより、前記発光手段が前記撮像手段の撮影画角範囲内の指定範囲内に存在するか否かを判定する判定手段と、
前記判定手段の判定結果をユーザに通知する通知手段
とを有することを特徴とする撮像システム。
【請求項１６】
前記判定手段は、前記第１及び第２の判定用画像信号の輝度、輝度分布及び色濃度分布の何れかについて比較することにより、前記発光手段が前記指定範囲に存在するか否かを判定することを特徴とする請求項１５に記載の撮像システム。
【請求項１７】
前記通知手段は、前記遠隔操作手段に前記判定結果を送信する手段を具備することを特徴とする請求項１５又は１６に記載の撮像システム。
【請求項１８】
前記指定範囲が、前記撮影画角範囲に一致することを特徴とする請求項１５乃至１７の何れか１項に記載の撮像システム。
【請求項１９】
更に、前記指定範囲を前記撮影画角範囲内で変更する手段を具備することを特徴とする請求項１５乃至１８の何れか１項に記載の撮像システム。
【請求項２０】
前記判定手段は、前記発光手段が前記撮影画角範囲内のどの領域に存在するかを示す信号を前記遠隔操作手段に送信する手段を具備することを特徴とする請求項１５に記載の撮像システム。
【請求項２１】
前記画角確認指示信号が、前記第２のタイミングを指示する撮影コマンドを含み、
前記制御手段は、前記受信手段による前記画角確認指示信号の受信に応じて前記第１のタイミングで前記撮像手段に撮像させ、前記撮影コマンドに応じて、前記第２のタイミングで前記撮像手段に撮像させる
ことを特徴とする請求項１５乃至２０の何れか１項に記載の撮像システム。
【発明の詳細な説明】
【技術分野】
【０００１】
本発明は撮影装置、確認方法及び撮像システムに関し、より具体的には、画角内の指定範囲内に遠隔操作手段の発光手段が入っているか否かを確認することが可能な撮像装置、確認方法及び撮像システムに関する。
【背景技術】
【０００２】
従来、ビデオカメラには、赤外線又は無線による遠隔操作が可能なものがある。撮影者は、リモコン装置を手に持ち、ビデオカメラに向けて撮影指示を送信することで、自らを被写体として撮影することが可能である。
【０００３】
この方法では、撮影者は、撮影する画角内に自らが収まっているかどうかを確認する術がなく、勘に頼るしか無かった。この様な問題を解決するために、リモコン装置からの赤外線の入射方向を検出する赤外線センサをカメラ本体に装備し、入射方向が撮影画角内にあるかどうかを判定する構成が、提案されている（例えば、特許文献１）。
【特許文献１】特開２０００−１８０９４９号公報
【発明の開示】
【発明が解決しようとする課題】
【０００４】
しかし、上記のような構成では、赤外線検出センサを画角判定のために新たに装備しなければならず、コストが増加してしまう。
【０００５】
本発明は、赤外線検出センサ等の追加の構成を設けることなしに、リモコン装置の赤外線発光等の発光体が画角内にあるかどうかを検出できる撮像装置、確認方法及び撮像システムを提示することを目的とする。
【課題を解決するための手段】
【０００６】
この様な課題を解決するために、本発明に係る撮像装置は、被写体を撮像し画像信号に変換する撮像手段と、遠隔操作手段からの画角確認指示信号を受信する受信手段と、前記受信手段による前記画角確認指示信号の受信に応じて、前記遠隔操作手段の発光手段の互いに異なる発光態様になる第１及び第２のタイミングで前記撮像手段に撮像させる制御手段と、前記第１のタイミングで撮像された第１の判定用画像信号と、前記第２のタイミングで撮像された第２の判定用画像信号とを比較することにより、前記発光手段が前記撮像手段の撮影画角範囲内の指定範囲内に存在するか否かを判定する判定手段と、前記判定手段の判定結果をユーザに通知する通知手段とを有することを特徴とする。
【０００７】
本発明に係る確認方法は、撮像装置の撮影画角範囲内の指定範囲内に、前記撮像装置を遠隔操作する遠隔操作手段の発光手段が入っているか否かを確認する方法であって、前記遠隔操作手段からの画角確認指示信号を受信する受信ステップと、前記画角確認指示信号の受信に応じて、前記発光手段の互いに異なる発光態様になる第１及び第２のタイミングで撮像する撮像ステップと、前記第１のタイミングで撮像された第１の判定用画像信号と、前記第２のタイミングで撮像された第２の判定用画像信号とを比較することにより、前記発光手段が前記撮影画角範囲内の指定範囲内に存在するか否かを判定する判定ステップと、前記判定ステップの判定結果をユーザに通知する通知ステップとを有することを特徴とする。
【０００８】
本発明に係る撮像システムは、撮像装置の撮影画角範囲内の指定範囲内に、前記撮像装置を遠隔操作する遠隔操作手段の発光手段が入っているか否かを確認するシステムであって、前記遠隔操作手段は、前記撮像装置に画角確認指示信号を送信する送信手段と、前記画角確認指示信号の送信に応じて前記発光手段の発光を制御する発光制御手段とを有し、前記撮像装置が、被写体を撮像し画像信号に変換する撮像手段と、前記遠隔操作手段からの画角確認指示信号を受信する受信手段と、前記受信手段による前記画角確認指示信号の受信に応じて、前記発光手段の互いに異なる発光態様になる第１及び第２のタイミングで前記撮像手段に撮像させる制御手段と、前記第１のタイミングで撮像された第１の判定用画像信号と、前記第２のタイミングで撮像された第２の判定用画像信号とを比較することにより、前記発光手段が前記撮像手段の撮影画角範囲内の指定範囲内に存在するか否かを判定する判定手段と、前記判定手段の判定結果をユーザに通知する通知手段とを有することを特徴とする。
【発明の効果】
【０００９】
本発明によれば、専用のセンサを設けることなしに、撮影者が撮影画角内の指定範囲内に入っているかどうかを確認できる。
【発明を実施するための最良の形態】
【００１０】
以下、図面を参照して、本発明の実施例を詳細に説明する。
【実施例１】
【００１１】
図１は、本発明の一実施例の概略構成ブロック図を示す。本実施例は、撮像装置本体１０と、撮像装置本体１０を遠隔操作するリモコン装置（遠隔制御装置）４０とからなる。
【００１２】
リモコン装置４０は、撮像装置本体１０に記録開始（又は静止画の記録）を指示する撮影ボタン４２と、動画記録の場合の記録停止を指示する停止ボタン４４を具備する。静止画の撮影（記録）が可能な場合、撮影ボタン４２は、静止画撮影の指示にも使用される。撮影ボタン４２はまた、本実施例の画角判定動作を撮像装置本体１０に指示するのにも利用される。
【００１３】
赤外線送信装置４６は、リモコン装置４０の正面方向に赤外線信号を赤外線発光素子（ＬＥＤ）から出力する。この赤外線信号が、撮像装置本体１０に対するコマンド信号を搬送する。リモコン装置４０はまた、撮影ボタン４２を押下したときに所定期間、例えば、１秒乃至２秒程度、点滅する発光手段４８を具備する。
【００１４】
リモコン装置４０は、他に、撮像装置本体１０の再生動作等を制御するボタンを具備するが、本発明の特徴的な動作とは無関係なので、省略してある。
【００１５】
撮像装置本体１０は、画角内の被写体等を光学的に結像する撮影レンズ１２と、撮影レンズ１２により結像された光学像を画像信号に変換する撮像素子１４を具備する。撮影レンズ１２，光学ズーム機能、フォーカス調整機能及び絞り機能を具備する。カメラ信号処理装置１６は、撮像素子１４から出力されるアナログ画像信号をデジタル信号に変換し、色変換、ガンマ変換及び色バランス調整等の周知の処理を施す。動画像の場合、カメラ信号処理装置１６は、一定形式、例えば、ＮＴＳＣの映像信号を出力する。
【００１６】
記録装置１８は、制御装置２８からの指示に従って、カメラ信号処理装置１６から出力される画像信号（静止画像又は動画像）を圧縮符号化して、記録媒体に記録する。記録媒体は、例えば、半導体メモリ、ハードディスク又は光ディスク等からなる。
【００１７】
液晶表示パネル（ＬＣＤ）からなる表示装置２０は、制御装置２８からの指示に従って、カメラ信号処理装置１６から出力される画像信号を表示する。表示装置２０は、撮影視野内の構図を確認するためのファインダとしても使用できる。
【００１８】
受信装置２２は、リモコン装置４０からの制御信号を受信し、制御装置２８に供給する。制御信号が赤外線で搬送される場合、受信装置２２は、赤外線受光素子を含み、電波信号で搬送される場合、この電波信号を受信する受信アンテナを含む。制御装置２８は、リモコン装置４０からの制御信号に従い、撮像素子１４，記録装置１８及び表示装置２０を制御する。
【００１９】
ランプ（発光手段）２４は、撮像装置本体１０の前面に配置され、制御装置２８により指示されて、所定のタイミングで点滅する。ランプ２４の役目の詳細は、後述する。
【００２０】
判定装置２６は、カメラ信号処理装置１６から出力される互いに異なるタイミングの２つの判定用画像信号から、撮影画角内にリモコン装置４０の発光手段４８の発光像が含まれるかどうかを判定する。これにより、リモコン装置４０が撮影画角内に入っているかどうかが分かる。判定装置２６は、判定結果を制御装置２８に供給する。
【００２１】
図２、図３及び図４はそれぞれ、撮像装置本体１０の背面図であって、表示装置２０が、リモコン装置４０を所持するユーザが撮影画角内に入っている状態を示す。図２に示すように、ユーザがリモコン装置４０を持って、撮像装置本体１０の前に立つ。撮影画角範囲内の指定範囲である画角判定用画像領域３０が、当初は、撮影画角の全範囲に設定されている。画角判定用画像領域３０の両端の太い破線は、単に、領域３０の両端を明記するためのものであり、表示装置２０の画面上で重畳して表示しても、表示しなくても、どちらでもよい。
【００２２】
図２に示す状態の後、ユーザは、リモコン装置４０の発光手段４８を点滅又は発光させる。この点滅又は発光が、カメラ信号処理装置１６の出力画像信号上で、図３に示すように、光像となる。
【００２３】
撮像装置本体１０の判定装置２６は、図４に示すように符号３０ａで示すように、画角判定用画像領域を撮影画角範囲よりも狭めることができる。
【００２４】
図５は、本実施例による画角判定と撮影の動作フローチャートを示す。ユーザが、図３に示すように、リモコン装置４０を持って、撮像装置本体１０のほぼ正面に立っているとする。ユーザが撮影ボタン４２を半押しすると（Ｓ１）、リモコン装置４０は、画角確認指示信号としての判定開始コマンドの赤外線信号を送信装置４６から送信し（Ｓ２）、一定時間後に、発光手段４８を一定時間、発光させる（Ｓ３）。リモコン装置４０は、このように発光手段４８の発光を制御する発光制御手段を具備する。
【００２５】
撮像装置本体１０の受信装置２２は、リモコン装置４０からの赤外線信号を受信すると、制御装置２８に供給し、制御装置２８は、リモコン装置４０からの制御信号の内容を判断する（Ｓ１１）。判定開始コマンドでなければ（Ｓ１１）、図示しない別の処理を実行することになる。
【００２６】
判定開始コマンドの場合（Ｓ１１）、本体１０は、発光手段４８が発光する前のタイミングで第１の判定用静止画を撮影し（Ｓ１２）、発光手段４８が発光するタイミングで第２の判定用静止画を撮影する（Ｓ１３）。すなわち、第１の判定用静止画は、図２に示すような画像になり、第２の判定用静止画は図３に示すような画像になる。
【００２７】
判定装置２６は、先ず、カメラ信号処理装置１６の出力から第１及び第２の判定用静止画にそれぞれ対応する第１の判定用画像信号と第２の判定用画像信号を取り込む。そして、予め設定された画角判定用画像領域３０（又は３０ａ）内で両画像の輝度（又は輝度分布）を比較する（Ｓ１４）。両画像の輝度（又は輝度分布）が実質的に一致すれば（Ｓ１４）、ランプ２４を一定時間、点滅させて（Ｓ１６）、ステップＳ１１に戻る。
【００２８】
また、両画像の輝度（又は輝度分布）が実質的に一致しなければ（Ｓ１４）、ランプ２４を一定時間、点灯させて（Ｓ１５）、ステップＳ１１に戻る。両画像の輝度（又は輝度分布）が実質的に一致しないということは、ユーザが持つリモコン装置４０（の発光手段４８）が指定範囲内、即ち、画角判定用画像領域３０（又は３０ａ）内にあったことを示す。
【００２９】
このような判定装置２６の判定結果を、ランプ２４の点灯／点滅によりユーザに通知する（Ｓ１５，Ｓ１６）。ランプ２４が点滅する場合、ユーザは、ランプ２４が点灯するような立ち位置に、撮影ボタン４２を半押ししたまま移動すればよい。
【００３０】
ユーザは、ランプ２４の点灯（Ｓ１５）を確認すると、撮影ボタン４２を全押しする（Ｓ４）。これにより、リモコン装置４０は撮影開始を指示する撮影コマンドを本体１０に送信する（Ｓ５）。この撮影コマンドを受信した本体１０は、撮影画像を記録媒体に記録する（Ｓ１７）。静止画撮影モードでは、ワンショットの静止画の記録になり、動画モードでは、停止ボタン４４が押されるまでの、動画像の記録になる。
【００３１】
判定の都度、画角判定用画像領域３０を図４の画角判定用画像領域３０ａのように、徐々に狭くしていくことで、ユーザが、画角内でどの程度、正面から外れているかも判定できる。画角判定用画像領域３０の各境界線は、本体１０の背面の操作ボタン２９でマニュアル移動させても良い。
【００３２】
また、判定動作を繰り返しながら、画角判定用画像領域３０を広い状態から狭い状態に（又はその逆に）自動で移動させてもよい。どの時点でランプ２４が点滅かは点灯（又はその逆）に変化するかで、正面に対してどの程度のずれかも確認できる。
【００３３】
撮影ボタン４２の半押しで、リモコン装置４０が判定開始コマンドを送信するとしたが、別のボタン操作、例えば、撮影ボタン４２と停止ボタン４４の同時押しに従い、判定開始コマンドを送信するようにしてもよいことは明らかである。
【００３４】
また、撮影ボタン４２を押下し続けた場合に、判定装置２６による判定動作を実行し、撮影ボタン４２を一時的に押下した場合に、録画を実行するようにしてもよい。
【００３５】
上記実施例では、本体１０が、リモコン装置４０から判定開始コマンドを受信すると、第１及び第２の判定用静止画を続けて撮影した。しかし、リモコン装置４０が、２つの撮影コマンドを続けて送信し、本体１０が、各撮影コマンドの受信に従い第１及び第２の判定用静止画を撮影しても良い。この場合、リモコン装置４０は、２つ目の撮影コマンドの送信と同時に、発光手段４８を発光させる。本体１０は、一定時間内に二つ目の撮影コマンドを受信しない場合、第１の判定用静止画を、通常の撮影画像と同様に記録装置１８により記録媒体に記録しても良い。
【００３６】
判定結果をユーザに通知する手段はランプ２４以外に、スピーカからの音声でもよい。表示装置２０の表示面を撮影者側に向けることが可能であれば、この表示装置２０の表示をほぼ全面赤色にする等して、ユーザに判定結果を知らせることもできる。
【実施例２】
【００３７】
図６は、本発明の実施例２の概略構成ブロック図を示す。図１に示す構成要素と同じ構成要素には同じ符号を付してある。
【００３８】
撮像装置本体１０ａとリモコン装置４０ａとの間で赤外線による双方向通信を可能とした。そのために、本体１０ａに赤外線通信の送受信装置２２ａを設け、リモコン装置４０ａにも、対応する送受信装置４６ａを設けた。そして、撮像本体１０ａの制御装置２８ａは、判定装置２６の判定結果を送受信装置２２ａからリモコン装置４０ａに伝送する。リモコン装置４０ａは、送受信装置４６ａで受信した判定結果を、表示画面５０に表示する。
【００３９】
例えば、図７に示すように、画角内を水平方向で境界線３２，３４により３分割する。境界線３２と３４の間を「中央」、境界線３２の左側を「右」（被写体となったユーザにとっては右になる）、境界線３４の右側を「左」（被写体となったユーザにとっては左になる）と呼ぶことにする。そして、制御装置２８ａは、撮影画角内でリモコン装置４０ａの発光手段４８が「左」、「中央」及び「右」の何れに位置するかをリモコン装置４０ａに通知する。図７に示す例では、リモコン装置４０ａが「右」に位置し、リモコン装置４０ａは、表示画面５０に「右」と表示する。境界線３２，３４で区分される各領域の名称は、任意で良い。
【００４０】
図８は、本実施例の動作フローチャートを示す。本実施例では、第１及び第２の判定用静止画像の比較において、不一致個所（リモコン装置４０ａの存在する領域）を検出する動作が追加されている。
【００４１】
ユーザが、リモコン装置４０ａを持って、撮像装置本体１０ａのほぼ正面に立っているとする。ユーザが撮影ボタン４２を半押しすると（Ｓ２１）、リモコン装置４０ａは、画角確認指示信号としての判定開始コマンドの赤外線信号を送受信装置４６ａから送信し（Ｓ２２）、一定時間後に、発光手段４８を一定時間、発光させる（Ｓ２３）。
【００４２】
撮像装置本体１０ａの送受信装置２２ａは、リモコン装置４０ａからの赤外線信号を受信すると、制御装置２８ａに供給し、制御装置２８ａは、リモコン装置４０ａからの制御信号の内容を判断する（Ｓ３１）。判定開始コマンドでなければ（Ｓ３１）、図示しない別の処理を実行することになる。
【００４３】
判定開始コマンドの場合（Ｓ３１）、本体１０ａは、発光手段４８が発光する前のタイミングで第１の判定用静止画を撮影し（Ｓ３２）、発光手段４８が発光するタイミングで第２の判定用静止画を撮影する（Ｓ３３）。
【００４４】
判定装置２６は、カメラ信号処理装置１６の出力から第１及び第２の判定用静止画を取り込み、両画像の輝度（又は輝度分布）を比較する（Ｓ３４）。両画像の輝度（又は輝度分布）が実質的に一致すれば（Ｓ３４）、ランプ２４を一定時間、点滅させて（Ｓ３６）、ステップＳ３１に戻る。
【００４５】
両画像の輝度（又は輝度分布）が実質的に一致しない場合（Ｓ３４）、判定装置２６ａは、境界線３２，３４で区分される領域単位で両画像を比較して、どの領域で輝度（又は輝度分布）が異なるかを検出する（Ｓ３５）。第１及び第２の判定用静止画の輝度を１又は所定数のピクセル単位で対比して輝度の相違点を検出し、その後、どの領域に属するかを判定してもよい。制御装置２８ａは判定装置２６ａのこの判定結果を送受信装置２２ａからリモコン装置４０ａに送信する（Ｓ３７）。
【００４６】
リモコン装置４０ａは、本体１０ａから通知される判定結果を表示画面５０に表示する（Ｓ２４）。ユーザは、表示画面５０に表示される判定結果を確認する。判定結果が良くなければ、ユーザは、判定結果が好ましいものになるように、本体１０ａに対する立ち位置を変更する。
【００４７】
表示される判定結果が良好であれば、ユーザは、撮影ボタン４２を全押しする（Ｓ２５）。これにより、リモコン装置４０ａは撮影開始を指示する撮影コマンドを本体１０ａに送信する（Ｓ２６）。この撮影コマンドを受信した本体１０ａは、撮影画像を記録媒体に記録する（Ｓ３８）。静止画撮影モードでは、ワンショットの静止画の記録になり、動画モードでは、停止ボタン４４が押されるまでの、動画像の記録になる。
【実施例３】
【００４８】
図９は、本発明の実施例３の概略構成ブロック図を示す。本実施例では、リモコン装置４０ｂは、画角判定開始を指示する確認ボタン５２を別に具備する。図１に示す実施例と同じ構成要素には同じ符号を付してある。詳細は後述するが、本実施例では、ユーザが画角内に位置することを確認できた後で、立ち位置の調整が可能である。
【００４９】
図１０は、実施例３の実施例３の画角判定用画像領域の模式図を示す。本実施例では、画角判定用画像領域として、四角の領域３６を設定できる。即ち、水平方向と垂直方向に画角判定用画像領域３６の境界線を設定できる。画角判定用画像領域３６は、撮影画角範囲内で任意の位置及びサイズに変更可能である。
【００５０】
図１１は、本実施例３の画角判定と撮影の動作フローチャートを示す。ユーザが、リモコン装置４０ｂを持って、撮像装置本体１０ｂのほぼ正面に立っているとする。ユーザが確認ボタン５２を押下すると（Ｓ４１）、リモコン装置４０ｂは、画角確認指示信号としての判定開始コマンドの赤外線信号を送信装置４６から送信する（Ｓ４２）。リモコン装置４０ｂは、判定開始コマンドの送信から所定時間後に、発光手段４８を一定時間、発光させ、且つ、画角確認指示信号の一部としての判定用静止画撮影コマンドを送信する（Ｓ４３）。
【００５１】
撮像装置本体１０ｂの受信装置２２は、リモコン装置４０からの赤外線信号を受信すると、制御装置２８に供給し、制御装置２８は、リモコン装置４０からの制御信号の内容を判断する（Ｓ５１）。判定開始コマンドでなければ（Ｓ５１）、図示しない別の処理を実行することになる。
【００５２】
判定開始コマンドの場合（Ｓ５１）、本体１０ｂは、第１の判定用静止画を撮影する（Ｓ５２）。そして、本体１０ｂは、ステップＳ４３でリモコン装置４０ｂから送られる判定用静止画撮影コマンドに従い第２の判定用静止画を撮影する（Ｓ５３）。第１の判定用静止画が、発光手段４８が消灯しているときの撮影画像であり、第２の判定用静止画が、発光手段４８が発光しているときの撮影画像になる。
【００５３】
判定装置２６は、カメラ信号処理装置１６の出力から第１及び第２の判定用静止画を取り込み、予め設定された画角判定用画像領域３６内で両画像の輝度（又は輝度分布）を比較する（Ｓ５４）。両画像の輝度（又は輝度分布）が実質的に一致すれば（Ｓ５４）、ランプ２４を一定時間、点滅させて（Ｓ５６）、ステップＳ５１に戻る。このとき、ユーザは、ランプ２４が点灯するような立ち位置に移動して、ステップＳ４１からやりなおす。
【００５４】
両画像の輝度（又は輝度分布）が実質的に一致しなければ（Ｓ５４）、ランプ２４を一定時間、点灯させ（Ｓ５５）、リモコン装置４０ｂからの判定用静止画撮影コマンドを待つ（Ｓ５７）。両画像の輝度（又は輝度分布）が実質的に一致しないということは、ユーザが持つリモコン装置４０ｂ（の発光手段４８）が画角判定用画像領域３６内にあったことを示す。
【００５５】
ユーザは、ランプ２４の点灯（Ｓ４５）を確認した場合、自身の立ち位置を調整したければ、リモコン装置４０ｂの確認ボタン５２の押下を続けることで判定が続行される（Ｓ４４）。判定続行の場合（Ｓ４４）、リモコン装置４０ｂは、発光手段４８を一定時間繰り返し発光させ、且つ、画角確認指示信号の一部としての判定用静止画撮影コマンドを発光手段４８の発光に同期したタイミングで送信する（Ｓ４５）。撮像装置本体１０ｂは、この判定用静止画撮影コマンドに応じて、繰り返し判定用静止画を撮影する（Ｓ５７）。この撮影により得られた画像をｎ個目の判定用静止画とする。
【００５６】
判定装置２６は、ステップＳ５２で取得した第１の判定用静止画と、ステップＳ５７で取得した第ｎの判定用静止画の輝度（又は輝度分布）を比較する（Ｓ５８）。両画像の輝度（又は輝度分布）が実質的に一致すれば（Ｓ５８）、ランプ２４を一定時間、点滅させて（Ｓ５６）、ステップＳ５１に戻る。このとき、ユーザは、ランプ２４が点灯するような立ち位置に移動して、ステップＳ４１からやりなおす。
【００５７】
第１の判定用静止画と第ｎの判定用静止画の輝度（又は輝度分布）が一致しない場合（Ｓ５８）、ステップＳ５５に移行して、ランプ２４を一定時間、点灯させ（Ｓ５５）、リモコン装置４０ｂからの判定用静止画撮影コマンドを待つ（Ｓ５７）。
【００５８】
ユーザが判定続行を不要とする場合は、確認ボタン５２の押下をやめる（Ｓ４４）。そして、撮影ボタン４２が押下されれば（Ｓ４６）、リモコン装置４０ｂは撮影開始を指示する撮影コマンドを本体１０ｂに送信する（Ｓ４７）。この撮影コマンドを受信した本体１０ｂは、撮影画像を記録媒体に記録する（Ｓ５９）。静止画撮影モードでは、ワンショットの静止画の記録になり、動画モードでは、停止ボタン４４が押されるまでの、動画像の記録になる。
【００５９】
撮影ボタン４２が押下されない場合（Ｓ４６）、ステップＳ４４に戻り、判定続行の要否の操作を待機する。
【００６０】
以上のような操作をすることにより、ユーザは自らが画角範囲内に存在しているか否かを確認できるだけでなく、その範囲内で移動しておおよその画角範囲を知ることができる。
【００６１】
上述の各実施例では、判定用静止画の輝度（又は輝度分布）を比較するとしたが、発光手段４８の発光色を判定要素としても良い。例えば、発光手段４８の発光の有無による色濃度分布が相違するので、判定用静止画の色濃度分布を比較する。より一般的には、第１のタイミングと第２のタイミングで、発光手段４８の発光態様が互いに異なればよい。
【００６２】
赤外線を用いた無線通信による遠隔操作を例に説明したが、有線通信でも良いし、無線電波による通信、例えば、Ｂｌｕｅｔｏｏｔｈ（商標）等の電磁波を用いた通信であっても良い。
【００６３】
本発明は、上述した実施例の機能を実現するソフトウェアのプログラムコードを記録した記憶媒体を、システム或いは装置に供給することによっても、実現されることは言うまでもない。このとき、供給されたシステム或いは装置のコンピュータ（またはＣＰＵやＭＰＵ）は、記憶媒体に格納されたプログラムコードを読み出し実行する。この場合、記憶媒体から読み出されたプログラムコード自体が上述した実施例の機能を実現することになり、プログラムコード自体及びそのプログラムコードを記憶した記憶媒体は、本発明を構成することになる。
【００６４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６５】
また、上述のプログラムコードの指示に基づき、コンピュータ上で稼動しているＯＳ（基本システムやオペレーティングシステム）などが処理の一部又は全部を行い、その処理によって上述した実施例の機能が実現される場合も含まれることは言うまでもない。
【００６６】
さらに、記憶媒体から読み出されたプログラムコードが、コンピュータに挿入された機能拡張ボードやコンピュータに接続された機能拡張ユニットに備わるメモリに書込まれ、前述した実施形態の機能が実現される場合も含まれることは言うまでもない。このとき、そのプログラムコードの指示に基づき、その機能拡張ボードや機能拡張ユニットに備わるＣＰＵ等が実際の処理の一部又は全部を行う。
【図面の簡単な説明】
【００６７】
【図１】本発明の実施例１の概略構成ブロック図である。
【図２】表示装置２０の表示画像例である。
【図３】発光手段４８が発光しているときの、表示装置２０の表示画像例である。
【図４】画角判定用画像領域の設定例である。
【図５】本実施例の動作フローチャートである。
【図６】本発明の実施例２の概略構成ブロック図である。
【図７】実施例２における画角判定用画像領域の設定例である。
【図８】実施例２の動作フローチャートである。
【図９】本発明の実施例３の概略構成ブロック図である。
【図１０】実施例３における画角判定用画像領域の設定例である。
【図１１】実施例３の動作フローチャートである。
【符号の説明】
【００６８】
１０，１０ａ，１０ｂ：撮像装置本体
１２：撮影レンズ
１４：撮像素子
１６：カメラ信号処理装置
１８：記録装置
２０：表示装置
２２，２２ａ：受信装置
２４：ランプ（発光手段）
２６：判定装置
２８，２８ａ：制御装置
２９：操作ボタン
３０，３０ａ：画角判定用画像領域
３２，３４：境界線
３６：画角判定用画像領域
４０，４０ａ，４０ｂ：リモコン装置
４２：撮影ボタン
４４：停止ボタン
４６：赤外線送信装置
４６ａ：送受信装置
４８：発光手段
５０：表示画面
５２：確認ボタン
【図１】
2009044278.tif 000003
【図２】
2009044278.tif 000004
【図３】
2009044278.tif 000005
【図４】
2009044278.tif 000006
【図５】
2009044278.tif 000007
【図６】
2009044278.tif 000008
【図７】
2009044278.tif 000009
【図８】
2009044278.tif 000010
【図９】
2009044278.tif 000011
【図１０】
2009044278.tif 000012
【図１１】
2009044278.tif 000013